(57)【要約】      （修正有）【課題】ケーブル切替の際に、上部側・下部側の２箇所に設置し、複数の心線に接続・固定することで、切替区間の心線対照を行うことができ、未使用回線又は絶縁不良の回線を容易かつ正確に特定でき、切断する回線をミスなく容易に選択することができるケーブル接続装置を提供する。【解決手段】ケーブル接続装置１００は、複数のケーブル１のそれぞれの心線を接続する複数の接続刃を有する心線接続器具１０と、前記接続刃に接続された前記ケーブルに対応する複数のケーブル把持部を有するケーブル把持器具５０と、を備えたことを特徴とするケーブル接続装置。【選択図】図１
2018014179.tif 000002
【特許請求の範囲】
【請求項１】
複数のケーブルのそれぞれの心線を接続する複数の接続刃を有する心線接続器具と、
前記接続刃に接続された前記ケーブルに対応する複数のケーブル把持部を有するケーブル把持器具と、
を備えたことを特徴とするケーブル接続装置。
【請求項２】
前記接続刃は、ケーブルを挿入することによって心線の周囲の絶縁部を切断しつつ心線と接続可能であることを特徴とする請求項１に記載のケーブル接続装置。
【請求項３】
前記ケーブル把持器具は、前記ケーブル把持部の両側面にゴム、エラストマー等の弾性部材で作製されたガイドラバーを備えており、
前記ガイドラバーは、前記ケーブル把持部に相当する位置にケーブルより狭い溝が形成されていることを特徴とする請求項１又は２に記載のケーブル接続装置。
【請求項４】
前記ケーブル把持部は、前記ケーブルを保持可能な保持用溝を有するベースクランプと、前記ケーブルを挿入可能なケーブル挿入溝を有しかつ前記ベースクランプに対しスライド可能に形成されている可動式クランプとを、備えていることを特徴とする請求項１から３のいずれか１項に記載のケーブル接続装置。
【請求項５】
請求項１から４のいずれか１項に記載のケーブル接続装置において
それぞれの前記心線接続器具に接続される心線対照制御装置を備えたことを特徴とするケーブル接続装置。
【請求項６】
前記ケーブルの検査する領域の上部側に取り付けられる請求項１から５のいずれか１項に記載のケーブル接続装置と、
前記ケーブルの検査する領域の下部側に取り付けられる請求項１から５のいずれか１項に記載のケーブル接続装置と、
を有することを特徴とするケーブル接続装置。
【発明の詳細な説明】
【技術分野】
【０００１】
本発明は、ケーブル切替の際に、上部側・下部側の２箇所に設置し、複数の心線に接続・固定することで、切替区間の心線対照を行うためのケーブル接続装置に関する。
【背景技術】
【０００２】
本権利者は、電話局外の作業現場において心線対照を行う際に用いられる心線対照装置であって、電話局内に設置された装置本体と、前記作業現場において対照されるべき対照回線を構成する２本の心線にクランプされる対照信号受信器で構成され、前記装置本体内の信号送信手段より前記対照回線に対照信号を送信し、前記対照信号受信器で前記対照信号を検出した場合に該対照信号受信器内のトーン発生器よりトーン信号を打合せ回線を介して前記装置本体に送信し、該装置本体内では前記トーン信号を検出して前記対照回線の対照結果を内部の記憶手段に保存できるように構成した心線対照装置を考案している。
（特許文献１）。
【０００３】
心線対照を行った回線のうち、空き回線や絶縁不良の回線を切断回収又は新ケーブルに交換する必要がある場合が多々発生する。これは、不要回線の増大化によるメンテナンスの労力の増大化の防止、不要回線の老朽化による事故の防止等のため必要である。しかし、上述した装置では、交換時に数百本もの回線のうち、どの回線であるかがわからなくなることがあるという問題点があった。
【先行技術文献】
【特許文献】
【０００４】
【特許文献１】実用新案登録第３１７６７８１号公報
【発明の概要】
【発明が解決しようとする課題】
【０００５】
本発明は、ケーブル切替の際に、上部側・下部側の２箇所に設置し、複数の心線に接続・固定することで、切替区間の心線対照を行う際に、切断する回線をミスなく容易に選択することができる心線対照試験用のケーブル接続装置を提供することをその課題とする。
【課題を解決するための手段】
【０００６】
本発明は、上述の目的を達成するために、以下の手段を採った。
【０００７】
本発明にかかるケーブル接続装置は、
複数のケーブルのそれぞれの心線を接続する複数の接続刃を有する心線接続器具と、
前記接続刃に接続された前記ケーブルに対応する複数のケーブル把持部を有するケーブル把持器具と、
を備えたことを特徴とする。
【０００８】
本発明は、複数のケーブルの心線を心線接続器具に接続する際に、ケーブル把持器具を別途用いることで、束ねてあるケーブルの心線が誤って切断されたり、接続する際に煩雑さを低減したりするとともに、どのケーブルが切断対象又は交換対象のケーブルであるかを容易に認識可能とすることができるケーブル接続装置を提供することができる。
【０００９】
また、本発明にかかるケーブル接続装置において、
前記接続刃は、ケーブルを挿入することによって心線の周囲の絶縁部を切断しつつ心線と接続可能な接続刃であることを特徴とするものであってもよい。
【００１０】
かかる構成を採用することによって、ケーブルを接続刃に嵌めるだけで心線と電気的に接続させることができる。
【００１１】
さらに、本発明にかかるケーブル接続装置において、前記ケーブル把持器具は、前記ケーブル把持部の両側面にゴム、エラストマー等の弾性部材で作製されたガイドラバーを備えており、
前記ガイドラバーは、ケーブル把持部に相当する位置にケーブルより狭い溝が形成されていることを特徴とするものであってもよい。
【００１２】
かかる構成を採用することによって、ガイドラバーによってケーブルを仮止めすることができるため、複数のケーブルをケーブル把持器具に取り付ける際に、取り付けたケーブルが不意に外れることを低減することができる。
【００１３】
さらに、本発明にかかるケーブル接続装置において、前記ケーブル把持部は、前記ケーブルを保持可能な保持用溝を有するベースクランプと、前記ケーブルを挿入可能なケーブル挿入溝を有しかつベースクランプに対しスライド可能に形成されている可動クランプとを、備えていることを特徴とするものであってもよい。
【００１４】
かかる構成を採用することによって、ケーブルをより確実にケーブル把持部に固定することができる。
【００１５】
さらに、本発明にかかるケーブル接続装置において、
それぞれの心線接続器具に接続される心線対照制御装置を備えたことを特徴とするものであってもよい。
【００１６】
かかる構成を採用することによって、心線接続器具に接続されたケーブルの対照を行なうことができる。
【００１７】
さらに、本発明にかかるケーブル接続装置において、前記ケーブルの検査する領域の上部側に取り付けられる上述のいずれかに記載のケーブル接続装置と、
前記ケーブルの検査する領域の下部側に取り付けられる上述のいずれかに記載のケーブル接続装置と、
を有することを特徴とするものであってもよい。
【００１８】
かかる構成を採用することによって、上部側と下部側とで心線対照を行なうことができるようになる。
【発明の効果】
【００１９】
本発明によれば、ケーブル切替の際に、上部側・下部側の２箇所に設置し、複数の心線に接続・固定することで、切替区間の心線対照を行う際に、切断する回線をミスなく容易に選択することができる心線対照試験用のケーブル接続装置を提供することができる。
【図面の簡単な説明】
【００２０】
【図１】図１は、実施形態にかかるケーブル接続装置１００をケーブル１に接続させた状態を示す模式図である。
【図２】図２は、実施形態にかかるケーブル接続装置１００の心線接続器具１０を示す斜視図である。
【図３】図３は、実施形態にかかるケーブル接続装置１００の心線接続器具１０を示す分解斜視図である。
【図４】図４は、実施形態にかかるケーブル接続装置１００のケーブル把持器具５０を示す斜視図である。
【図５】図５は、実施形態にかかるケーブル接続装置１００のケーブル把持器具５０を示す分解斜視図である。
【図６】図６は、ケーブル接続装置１００と心線対照制御装置９０の接続状態を示す概略図である。
【発明を実施するための形態】
【００２１】
以下、本発明の実施形態について図面に沿って詳細に説明する。なお、以下に説明する実施形態及び図面は、本発明の実施形態の一部を例示するものであり、これらの構成に限定する目的に使用されるものではない。また、各図において対応する構成要素には同一又は類似の符号が付されている。
【００２２】
本実施形態にかかるケーブル接続装置１００は、図１に示すように、主として、ケーブル１の心線を接続する心線接続器具１０とケーブル把持器具５０とを備えている。心線接続器具１０は、心線対照を行なうために心線対照制御装置９０（図６参照）に接続されている。
【００２３】
心線接続器具１０は、図２又は図３に示すように、筐体１１と、筐体１１に取り付けられている接続刃１２と、接続刃１２にそれぞれ取り付けられるケーブル１の信号を心線対照制御装置９０に送信する送信用ケーブルを接続するコネクタ１５と、を備えている。
【００２４】
筐体１１は、接続刃１２とコネクタ１５とを接続する中間ケーブル１８（一部のみ図示）及び接続刃１２を固定する固定具等が配置可能な内部領域を備えている。筐体１１の正面側は、接続刃１２が外部に突出するように露出して配置されるように、正面に凹部が形成されている。また、筐体１１には、複数のケーブル接続装置１００のうちどのケーブル接続装置１００であるかが直ちに認識可能なように番号αが記載されている。
【００２５】
接続刃１２は、ケーブル１の心線と電気的に接続可能に設けられた複数の金属製の板状部材からなり、ケーブル１の心線を挿入可能な心線用溝１２ａが形成されている。心線用溝１２ａは、対照するケーブル１の心線の経とほぼ同様の幅又は若干狭く形成されており、心線を挿入することで接続刃１２と電気的に接続される。心線用溝１２ａは、溝開口部１２ｂがテーパー状に形成されていて、ケーブル１が多少心線用溝１２ａの中心からずれて挿入された場合であっても、容易にケーブル１が中央に誘導され、心線用溝１２ａに取り付けることができる。接続刃１２は、ケーブル１の被覆を除去して心線を露出させてから挿入してもよいし、接続刃１２の先端を刃に形成して嵌め込むと同時に被覆を切断して心線と刃が接触するように設けても良い。こうして作製された接続刃１２は、接続刃１２を保持する接続刃用ケース１４に２０個が並列するように固定されており、同時に２０個のケーブル１を取り付けることができる。それぞれの接続刃１２に隣接する部位には、それぞれ番号βが記載されており、心線を対照するときにどのケーブル１であるかを直ちに認識することができるようにされている。接続刃１２は、筐体１１内で中間ケーブル１８（図３には１本のみ記載されている。）によってコネクタ１５にそれぞれ個別に接続されている。コネクタ１５は、２０本のコネクタピンが内装されており、それぞれケーブル１からの信号を個別に送受信用ケーブル９１（図６参照）を介して心線対照制御装置９０に送信又は受信することができる。
【００２６】
ケーブル把持器具５０は、図４に示すように、心線接続器具１０に対応するように２０本のケーブル１を把持するため、２０個のケーブル把持部５１を有している。ケーブル把持器具５０は、図５に示すように、ケーブル１を固定するためのクランプ部材５３と、これらにケーブル１を誘導するガイドカバー５８とを主として備えている。
【００２７】
クランプ部材５３は、図５に示すように、ベースクランプ５４と、このベースクランプ５４に対してスライド可能に形成された可動式クランプ５５と、ベースクランプ５４の両側に配置されるガイドラバー５６とを備えている。ベースクランプ５４は、断面略Ｕ字形状の長尺の部材であり、心線接続器具１０の心線用溝１２ａと対応するように保持用溝５４ａが２０個形成されている。保持用溝５４ａは、ケーブル１の径よりも広い幅に形成されている。可動式クランプ５５は、ベースクランプ５４の略Ｕ字形状の間にＵ字溝内に配置されている。可動式クランプ５５は、ベースクランプ５４とほぼ同様の幅、同様の間隔でケーブル用溝５５ａが２０個設けられている。可動式クランプ５５は、後述するガイドカバー５８に固定された螺刻ブロック５５ｂに回転することによって移動する送りネジ（図示しない）が内設されており、スライド用回転ノブ５５ｃを回転することによってベースクランプ５４に対してスライドさせることができる。ケーブル１が配置された状態でスライドさせることによって、ベースクランプ５４と可動式クランプ５５によって挟み込むようにケーブル１を固定することができる。保持用溝５４ａとケーブル用溝５５ａには、ケーブル１を損傷させることを防止するために弾力性を有する部材、例えばゴム等の緩衝部材５５ｄを配置してもよい。ガイドラバー５６は、ケーブル１を仮止めするための部材である。ケーブル把持器具５０は、最大で２０本ものケーブル１を取り付けるため、作業途中でケーブルが外れる可能性があるので、これを防止するためのものである。ガイドラバー５６は、全体がエラストマーやゴム素材で作製されており、クランプ部材５３の両側に配置される。ガイドラバー５６は、保持用溝５４ａに対応する位置にケーブル１の径より狭い幅を有するゴム溝５６ａが形成され、このゴム溝５６ａに配置することでゴムの押圧力によってケーブル１を仮止めすることができる。また、ゴム溝５６ａの最底部には、ケーブル１の径とほぼ同様の丸穴５６ｅが設けられており、この部位にケーブル１が挿入されることで、容易にケーブル１が抜けないようにされている。ガイドカバー５８は、ベースクランプ５４の保持用溝６４ａに対応するように溝が形成されており、ベースクランプ５４及び可動式クランプ５５をカバーする。
【００２８】
心線対照制御装置９０は、図６に示すように、信号送受信手段９２及び表示装置を有する制御装置９３を備えている。信号送受信手段９２と制御装置９３は別体でも一体でもよい。制御装置は、表示装置を有するコンピュータ又はタブレットであってもよい。
【００２９】
こうして作製されたケーブル接続装置１００は、以下のようにして使用される。例えば、数百本のケーブル１からなる構内ケーブルから、例えば１ユニット１００本を選択する。これら１ユニットのケーブル１は円形に密集して束ねてあるため、心線接続器具１０に取り付けるのは非常に困難であり、心線の取付中に他の心線が外れたり、心線が切断したりする可能性がある。そこで、まず、被覆した状態のままケーブル１をケーブル把持器具５０に２０本ずつ把持する。ケーブル把持器具５０は、ガイドラバー５６が設けられており仮止めできるため、他のケーブル１を取り付ける際に、他のケーブル１が外れる可能性を低減することができる。こうして２０本すべてを取り付けるとそれぞれのケーブル１は、間隔を有して並列に配列されるので、ケーブル１を損傷させることなく容易に心線接続器具１０に取り付けることができる。こうした作業を上部側及び下部側のそれぞれ行なうことにより、図１に示すように、上部側及び下部側にそれぞれケーブル接続装置１００にケーブル１を２０本が接続される。心線接続器具１０をそれぞれ５台ずつ使用することで、合計１００本を接続することができる。心線接続器具１０を１０台使用すれば２００本を接続することができる。なお、心線接続器具１０は、ケーブル把持器具５０に対して内側に配置されるように、すなわち、上部側では心線接続器具１０の下流側、下部側では心線接続器具１０の上流側に配置するとよい。
【００３０】
これらケーブルの固定が終了した後、心線対照が行われる。心線対照の方法は特に限定するものではないが、例えば下記のように行われる。まず、全ての回線をモニタし、回線状態を表示装置に表示する。専用回線及び未使用状態にならない回線は特定した回線の詳細表示によって対照を実行することができる。専用回線以外でかつ未使用の回線の場合には、上部側の心線対照制御装置９０より対照信号を送出し、下部側の心線対照制御装置９０により対照信号を検出する。送出結果及び検出結果は、心線対照制御装置９０から制御装置によって表示装置に表示される。対照状態及び対照結果は、心線対照制御装置９０間で通信することで同期し、１００本の対照を実行することで得ることができる。なお、得られた対照結果は、制御装置に記憶し、例えばＣＳＶファイルとして保存される。
【００３１】
心線対照する場合において、現用回線及び空き回線は交流対照方式で対照する。交流対照信号としては、回線に影響しない３００Ｈｚ未満の周波数が使用される。対照中に絶縁不良等で対照できない回線は自動的にスキップし、中止及び回線を特定して個別に手動で対照することができる。
【００３２】
こうして対照が完了することにより、空き回線及び絶縁不良の回線を特定することができる。切断除去が必要なケーブル又は新ケーブルに交換必要なケーブルは、表示装置により上部のケーブル接続装置１００及び下部のケーブル接続装置１００にそれぞれ心線が取り付けられている心線接続器具１０の番号及びケーブル１の番号が表示されるため、その番号に基づいて切断すればよい。この際にケーブル把持器具５０及び心線接続器具１０の間で切断することによって、切断されたケーブル１、残されたケーブル１ともにいずれかの器具に取り付けられているため、切断した状態を保持することができ、新ケーブルをつなぎ直す場合に、誤った切断ケーブルにつなぎ直すことを低減することができる。
【００３３】
新ケーブルにつなぎ直す場合には、心線接続器具１０を図１に示すようにケーブル把持器具５０の外側、すなわち、上部側では心線接続器具１０の上流側、下部側では心線接続器具１０の下流側に配置しなおすことで、切断されたケーブル１がケーブル把持器具５０の内側に配置されるため、より容易に新ケーブルをつなぎ直すことができる。つなぎ直した新ケーブルは、直ちに現状のケーブル接続状態で直流対照方式で対照を確認することができる。
【００３４】
なお、本発明は上述した実施形態に何ら限定されることはなく、本発明の技術的範囲に属する限り種々の態様で実施し得る。
【００３５】
上述した実施形態においては、心線接続器具１０及びケーブル把持器具５０に取り付けられるケーブルの本数は２０本としたが、取り付けられるケーブルの本数は限定するものではない。
【産業上の利用可能性】
【００３６】
上述した実施形態で示すように、不要なケーブルの切断や交換が必要なケーブルを交換するときの治具として、産業上利用可能である。
【符号の説明】
【００３７】
１０…心線接続器具、１１…筐体、１２…接続刃、１２ａ…心線用溝、１２ｂ…溝開口部、１４…接続刃用ケース、１５…コネクタ、１８…中間ケーブル、５０…ケーブル把持器具、５１…ケーブル把持部、５３…クランプ部材、５４…ベースクランプ、５４ａ…保持用溝、５５…可動式クランプ、５５ａ…ケーブル用溝、５５ｂ…螺刻ブロック、５５ｃ…スライド用回転ノブ、５５ｄ…緩衝部材、５６…ガイドラバー、５６ａ…ゴム溝、５６ｅ…丸穴、５８…ガイドカバー、６４ａ…保持用溝、９０…心線対照制御装置、９１…送受信用ケーブル、９２…信号送受信手段、９３…制御装置、１００…ケーブル接続装置
【図１】
2018014179.tif 000003
【図２】
2018014179.tif 000004
【図３】
2018014179.tif 000005
【図４】
2018014179.tif 000006
【図５】
2018014179.tif 000007
【図６】
2018014179.tif 000008
【手続補正書】
【提出日】平成29年9月6日(2017.9.6)
【手続補正１】
【補正対象書類名】特許請求の範囲
【補正対象項目名】全文
【補正方法】変更
【補正の内容】
【特許請求の範囲】
【請求項１】
複数のケーブルのそれぞれの心線を接続する複数の接続刃を有する心線接続器具と、
前記接続刃に接続される前記ケーブルに対応する複数のケーブル把持部を有するケーブル把持器具と、を備え、
前記ケーブル把持器具は、前記ケーブル把持部の両側面にゴム、エラストマー等の弾性部材で作製されたガイドラバーを備えており、
前記ガイドラバーは、前記ケーブル把持部に相当する位置にケーブルより狭い溝が形成されていることを特徴とするケーブル接続装置。
【請求項２】
前記接続刃は、ケーブルを挿入することによって心線の周囲の絶縁部を切断しつつ心線と接続可能であることを特徴とする請求項１に記載のケーブル接続装置。
【請求項３】
前記ケーブル把持部は、前記ケーブルを保持可能な保持用溝を有するベースクランプと、前記ケーブルを挿入可能なケーブル挿入溝を有しかつ前記ベースクランプに対しスライド可能に形成されている可動式クランプとを、備えていることを特徴とする請求項１又は２に記載のケーブル接続装置。
【請求項４】
請求項１から３のいずれか１項に記載のケーブル接続装置において
それぞれの前記心線接続器具に接続される心線対照制御装置を備えたことを特徴とするケーブル接続装置。
【請求項５】
前記ケーブルの検査する領域の上部側に取り付けられる請求項１から４のいずれか１項に記載のケーブル接続装置と、
前記ケーブルの検査する領域の下部側に取り付けられる請求項１から４のいずれか１項に記載のケーブル接続装置と、
を有することを特徴とするケーブル接続装置。